(57)【要約】【課題】  狭隘な場所でも設置が可能な店舗と、商品を実際に手にとって選択することができるインターネット等の公衆通信回線を介した商品販売方法の提供。【解決手段】  商品情報識別標識を貼付された見本の商品が陳列され、商品情報識別標識読取装置及び表示装置並びに公衆通信回線に接続可能な情報処理端末を備えた可搬式店舗と該可搬式店舗を用いて商品を販売するに際し、該見本の商品に付された商品情報識別標識を読取って該商品の商品情報を取得し、公衆通信網に接続可能な該情報処理端末を通じて該商品情報に基づき本部倉庫に備えたサーバにより当該商品の在庫を確認し、顧客が指定する住所に当該商品の配送を手配する事を可能とする。【選択図】図１
2013196277.tif 000002
【特許請求の範囲】
【請求項１】
天井部及び床部と、該天井部と該床部を繋ぐように立設される壁面とから構成され、該壁面の一部に開口部を設けた店舗本体と、該店舗本体の該開口部を閉じることが可能な１又は２以上の扉とから構成され、
該店舗本体を構成する形態の内側の壁面、及び該扉が該店舗本体の該開口部を閉じた場合の該扉の内側の面には、商品陳列棚が設けられ、
該店舗本体内部には、陳列された商品に貼付された商品情報識別標識に記録された商品情報を読取可能な１又は２以上の商品情報識別標識読取装置と、１又は２以上の表示装置と、該商品情報識別標識読取装置と該表示装置への入出力が可能であり公衆通信網に接続可能な１又は２以上の情報処理端末とを備えたことを特徴とする可搬式店舗。
【請求項２】
前記扉が前記店舗本体の前記開口部を閉じた場合の前記１又は２以上の扉の、何れか１又は２以上の扉の外側の面に表示装置を設けたことを特徴とする、請求項１に記載の可搬式店舗。
【請求項３】
前記店舗本体の前記天井部の上部には屋根部を設け、該屋根部には、前記店舗本体の開口部の面した側に向けて前記店舗本体内部に設けられた前記表示装置に代え若しくは前記表示装置とともに１又は２以上の表示装置を設けたことを特徴とする、請求項１又は２のいずれかに記載の可搬式店舗。
【請求項４】
前記店舗本体の前記床部には移動用部品を設け、前記扉の開閉端の下部に扉の仮固定部材を設け、前記壁面又は前記床部に連結手段を設けたことを特徴とする、請求項１乃至３のいずれかに記載の可搬式店舗。
【請求項５】
前記店舗本体の前記天井部には照明装置を備え、前記店舗本体には外部電源と接続するコネクタ及び、外部の通信設備と接続するコネクタを設けたことを特徴とする、請求項１乃至４のいずれかに記載の可搬式店舗。
【請求項６】
商品情報識別標識を貼付した見本に供する商品が商品棚に陳列され、該商品に貼付された商品情報識別標識に記録された商品情報を読取可能な１又は２以上の商品情報識別標識読取装置と、１又は２以上の表示装置と、該商品情報識別標識読取装置と表示装置への入出力が可能であり公衆通信網に接続可能な１又は２以上の情報処理端末とを備えたことを特徴とする可搬式店舗における商品の販売に際し、該商品情報識別標識読取装置が、顧客が選択した商品の商品情報識別情報を読み出して、該情報処理端末が商品情報を表示装置に表示するステップと、該商品情報を公衆通信網を通じて本部倉庫に備えたサーバに送信するステップと、該送信された該商品情報を受信して、該本部倉庫に備えられた該サーバに蓄えられた在庫情報に基づいて、該在庫情報を該可搬式店舗の該情報処理端末に返信するステップと、該在庫情報を該可搬式店舗の該情報処理端末で受信し、該在庫情報を該可搬式店舗の該表示装置に表示するステップと、該表示された該在庫情報に基づいて、該可搬式店舗の該情報処理端末から、発送又は決済及び発送の指示が該本部倉庫のサーバに送信されるステップとからなることを特徴とする可搬式店舗を用いた商品の販売方法。
【請求項７】
一足の靴のうち商品情報識別標識を貼付した見本に供する片方の靴が商品陳列棚に陳列された、請求項１乃至５の何れかに記載した可搬式店舗における靴の販売に際し、
前記商品情報識別標識読取装置が、顧客が選択した靴の商品情報識別情報を読み出して、前記情報処理端末が該靴の商品情報を前記表示装置に表示するステップと、
前記情報処理端末により該靴の商品情報を公衆通信網を通じて本部倉庫に備えられたサーバに送信するステップと、
該送信された該靴の商品情報を受信して、該本部倉庫に備えられた該サーバに蓄えられた在庫情報に基づいて、該サーバにより該在庫情報を前記可搬式店舗の前記情報処理端末に返信するステップと、
該在庫情報を前記可搬式店舗の前記情報処理端末で受信し、該在庫情報を前記可搬式店舗内の前記表示装置に表示するステップと、
該表示された該在庫情報に基づいて、前記可搬式店舗の前記情報処理端末から、発送又は決済及び発送の指示が該本部倉庫の該サーバに送信されるステップとからなることを特徴とする可搬式店舗を用いた靴の販売方法。
【請求項８】
請求項２乃至５のいずれかに記載の可搬式店舗を用いて１又は２以上の商品を販売するに際し、前記１又は２以上の扉の、何れか１又は２以上の扉の外側の面に設けられた表示装置に該商品の画像及び該商品の通信販売を行うインターネット上のサイトのＷｅｂページのＵＲＬをシンボルコードにより表示するステップと、顧客の携帯通信端末が該表示された該通信販売を行うサイトの該ＵＲＬを読取るステップと、該携帯通信端末により該インターネット上の該通信販売サイトのＷｅｂページに接続し該商品の注文及び決済を行うステップとからなることを特徴とする可搬式店舗を用いた商品の販売方法。
【発明の詳細な説明】
【技術分野】
【０００１】
本発明は、公衆通信端末を備えた可搬式店舗及び可搬式店舗からの発送要求により顧客の希望先へ商品を配送することが可能な商品の販売方法に関するものである。
【背景技術】
【０００２】
近年、インターネット等の通信回線を介して、インターネット上等の仮想商店において商品を販売する例が増加している。こうしたインターネット等の通信回線を介した商品販売が増加している理由は、実際に商店の店頭に赴かなくとも、いつでも自由に商品を購入できるという顧客にとって地理的・時間的利便性があるためであり、商品の販売店側にとっても実際に店舗を用意することなく、全国或いは世界各地の顧客の需要にいつでも対応できるという利便性が認められるためである。
【０００３】
しかし、インターネット等の通信回線を介した商品の販売方法は、上記利便性が認められる反面、実際に商品を手にとって見ることができないという欠点があった。即ち、インターネット等の通信回線による商品販売では、商品情報が通信端末の画像に表示されるものの、商品に関して取得可能な情報が限定され、実際の質感や表面状態の違いなど商品の種類によっては商品選択の際の重要な基準となる情報が得られない場合があった。
【０００４】
また、靴や衣料品など、実際に試し履きや試着をしてみないと顧客に適合するか否かの判断が難しい商品もあった。
【０００５】
そのため、このような商品を購入した顧客は、実際に商品が手元に届いた場合に、当該商品が自分の考えたイメージと違う場合やサイズが合わない場合があり、返品や交換をせざるを得ず、余分なコストと手間がかかっていた。
【０００６】
一方、商品を店頭に展示する場合、展示する商品とは別に店舗に在庫を置いておく事が一般的である。そのため、商品の種類によっては在庫として必要なスペースが大きくなり小規模な敷地への出店が困難な業種もあった。
【０００７】
例えば、靴のような商品の場合、同一形状のデザインであっても個々の購入希望者によって足のサイズが異なり、更に色彩のバリエーションが存在する場合もあるため、靴の販売店では大量のストックを用意しておく必要があり、当該ストックのためのスペースは、場合によっては店舗の接客及び展示スペースに匹敵する程度の面積を必要としていた。そのため、このような商品の販売店では、他の買い物のついでに来店する顧客を含めて、集客の見込める人通りの多い駅やショッピングモール等に出店したいものの、取扱商品の特殊性から多数の在庫を備えるための広い出店スペースが必要であり、こうした人通りの多い場所では、広い出店スペースの確保が困難であるため出店できないという課題があった。
【０００８】
上記のような課題を解決するために、特許文献１に記載された発明では、洋服や靴等の身に着ける物を購入することを決定する過程における試着等の行為を可能にし、かつ陳列や在庫スペースの関係上小規模店舗では売りにくいとされていた商品の販売を可能にする商品販売システム等が開示されている。
【０００９】
しかし、特許文献１に記載された発明は、試着希望者が自宅の端末からコンビニ店を指定し、当該コンビニ店で試着希望の商品を受け取り、試着した後で購入もしくは返却を決定するものであり、店頭で実際に複数の商品を見比べて選択できるものではなく、また、購入しない場合には更に返却の手間を必要とするという欠点があった。
【先行技術文献】
【特許文献】
【００１０】
【特許文献１】特開２００２−７９０８号公報
【発明の概要】
【発明が解決しようとする課題】
【００１１】
以上で説明したように、靴や衣料品などの特定種類の商品の販売を行う販売店の店舗とインターネット等の通信回線を介した仮想商店による商品の販売とでは、現在、それぞれに固有の課題が存在する。
【００１２】
即ち、靴や衣料品などの特定種類の商品の販売を行う販売店の店舗は、狭いスペースへの出店が望ましい場合があるものの、販売する商品の特殊性から広い出店スペースが必要であり、狭いスペースへの出店が困難であるという課題があった。
【００１３】
また、インターネット等の通信回線を介した商品の販売では、商品を実際に手にとって見ることが出来ないために、返品・交換が多くなり、インターネット等の通信回線を介した商品の販売による利便性が十分に生かされないという課題があった。
【００１４】
本発明はこのような状況に鑑みたものであり、店舗に余分な在庫を置く事を不要とし狭隘な場所でも設置が可能な店舗と、従来インターネット等の通信回線を介した販売ではできなかった、商品を実際に手にとって選択することができる対面インターネット販売とも言うべき販売方法を可能にする、可搬式店舗と可搬式店舗を用いた商品の販売方法とを提供する事を課題とするものである。
【課題を解決するための手段】
【００１５】
上記課題を解決するために本発明は、天井部及び床部と、該天井部と該床部を繋ぐように立設される壁面とから構成され、該壁面の一部に開口部を設けた店舗本体と、該店舗本体の該開口部を閉じることが可能な１又は２以上の扉とから構成され、該店舗本体を構成する形態の内側の壁面、及び該扉が該店舗本体の該開口部を閉じた場合の該扉の内側の面には、商品陳列棚が設けられ、該店舗本体内部には、陳列された商品に貼付された商品情報識別標識に記録された商品情報を読取可能な１又は２以上の商品情報識別標識読取装置と、１又は２以上の表示装置と、該商品情報識別標識読取装置と該表示装置への入出力が可能であり公衆通信網に接続可能な１又は２以上の情報処理端末とを備えたことを特徴とする可搬式店舗、を提供する。
【００１６】
また、上記可搬式店舗は、前記扉が前記店舗本体の前記開口部を閉じた場合の前記１又は２以上の扉の、何れか１又は２以上の扉の外側の面に表示装置を設けたこと、前記店舗本体の前記天井部の上部には屋根部を設け、該屋根部には、前記店舗本体の開口部の面した側に向けて前記店舗本体内部に設けられた前記表示装置に代え若しくは前記表示装置とともに１又は２以上の表示装置を設けたこと、前記店舗本体の前記床部には移動用部品を設け、前記扉の開閉端の下部に扉の仮固定部材を設け、前記壁面又は前記床部に連結手段を設けたこと、前記店舗本体の前記天井部には照明装置を備え、前記店舗本体には外部電源と接続するコネクタ及び、外部の通信設備と接続するコネクタを設けたこと、によって特徴付けられる。
【００１７】
また、上記課題を解決するために本発明は、商品情報識別標識を貼付した見本に供する商品が商品棚に陳列され、該商品に貼付された商品情報識別標識に記録された商品情報を読取可能な１又は２以上の商品情報識別標識読取装置と、１又は２以上の表示装置と、該商品情報識別標識読取装置と表示装置への入出力が可能であり公衆通信網に接続可能な１又は２以上の情報処理端末とを備えたことを特徴とする可搬式店舗における商品の販売に際し、該商品情報識別標識読取装置が、顧客が選択した商品の商品情報識別情報を読み出して、該情報処理端末が商品情報を表示装置に表示するステップと、該商品情報を公衆通信網を通じて本部倉庫に備えたサーバに送信するステップと、該送信された該商品情報を受信して、該本部倉庫に備えられた該サーバに蓄えられた在庫情報に基づいて、該在庫情報を該可搬式店舗の該情報処理端末に返信するステップと、該在庫情報を該可搬式店舗の該情報処理端末で受信し、該在庫情報を該可搬式店舗の該表示装置に表示するステップと、該表示された該在庫情報に基づいて、該可搬式店舗の該情報処理端末から、発送又は決済及び発送の指示が該本部倉庫のサーバに送信されるステップとからなることを特徴とする可搬式店舗を用いた商品の販売方法、を提供する。
【００１８】
また、上記課題を解決するために本発明は、一足の靴のうち商品情報識別標識を貼付した見本に供する片方の靴が商品陳列棚に陳列された、請求項１乃至５の何れかに記載した可搬式店舗における靴の販売に際し、前記商品情報識別標識読取装置が、顧客が選択した靴の商品情報識別情報を読み出して、前記情報処理端末が該靴の商品情報を前記表示装置に表示するステップと、前記情報処理端末により該靴の商品情報を公衆通信網を通じて本部倉庫に備えられたサーバに送信するステップと、該送信された該靴の商品情報を受信して、該本部倉庫に備えられた該サーバに蓄えられた在庫情報に基づいて、該サーバにより該在庫情報を前記可搬式店舗の前記情報処理端末に返信するステップと、該在庫情報を前記可搬式店舗の前記情報処理端末で受信し、該在庫情報を前記可搬式店舗内の前記表示装置に表示するステップと、該表示された該在庫情報に基づいて、前記可搬式店舗の前記情報処理端末から、発送又は決済及び発送の指示が該本部倉庫の該サーバに送信されるステップとからなることを特徴とする可搬式店舗を用いた靴の販売方法、を提供する。
【００１９】
また、上記課題を解決するために本発明は、請求項２乃至５のいずれかに記載の可搬式店舗を用いて１又は２以上の商品を販売するに際し、前記１又は２以上の扉の、何れか１又は２以上の扉の外側の面に設けられた表示装置に該商品の画像及び該商品の通信販売を行うインターネット上のサイトのＷｅｂページのＵＲＬをシンボルコードにより表示するステップと、顧客の携帯通信端末が該表示された該通信販売を行うサイトの該ＵＲＬを読取るステップと、該携帯通信端末により該インターネット上の該通信販売サイトのＷｅｂページに接続し該商品の注文及び決済を行うステップとからなることを特徴とする可搬式店舗を用いた商品の販売方法、を提供する。
【発明の効果】
【００２０】
以上に記載した発明により、本発明では、狭隘な敷地であっても、余分な在庫を置く事を不要とし、店舗の出店と撤退が容易に可能である店舗を得る事が出来ると共に、店舗自体を実際の商品を手にとって確認することが可能な、インターネット等の公衆通信回線を介した商品販売のための端末として捉えることが可能である可搬式店舗の販売方法を得る事が出来る。
【図面の簡単な説明】
【００２１】
【図１】本発明の可搬式店舗の一実施形態である可搬式店舗の扉を開いた状態を示す斜視図である。
【図２】本発明の可搬式店舗の一実施形態である可搬式店舗の扉を閉じた状態を示す斜視図である。
【図３】本発明の可搬式店舗の一実施形態である可搬式店舗に屋根部を設けた場合を示す斜視図である。
【図４】本発明の可搬式店舗を用いた商品の販売方法の一実施形態の概略の説明図である。
【図５】本発明の可搬式店舗を用いた商品の販売方法の一実施形態において、靴が商品である場合の可搬式店舗内の表示装置に表示される商品情報等の表示画面の一例を示したものである。
【図６】本発明の可搬式店舗を用いた商品の販売方法の一実施形態の構成要素間のフローチャートを示したものである。
【発明を実施するための形態】
【００２２】
以下本発明の可搬式店舗の実施の形態について図面を参照して説明する。
【００２３】
図１及び図２は本発明の一実施形態である可搬式店舗の外観を示す斜視図である。図１は本発明の可搬式店舗の左右１組の扉を開いた状態を示しており、図２は本発明の可搬式店舗の左右１組の扉を閉じた状態を示している。
【００２４】
可搬式店舗本体１０は、全体的には該可搬式店舗本体１０の正面に該当する一面を開口部とする六面体形状を有しており、それぞれ水平に配設された同一の長方形状の、当該可搬式店舗本体１０の天井部を構成する天板２０と、床部を構成する底板３０と壁面とからなっている。該壁面は、該天板２０の２つの短辺２１，２２と該底板３０の２つの短辺３１，３２とをそれぞれ結合するように立設される側板４１と側板４２、及び、該天板２０の長辺２３と該底板の長辺３３とをそれぞれ結合するように立設される背板４３とから構成されている。なお、本実施形態の底板３０の面積はおよそ１坪程度となっており、また、天板、底板又は側板は、金属、木材、又は複合材などを素材とする板状部材の他、透明な合成樹脂製の板状部材や格子状又は網目状の形態の板状部材などを用いても良い。
【００２５】
また、長方形状の該天板２０の４隅の上方にはアイボルト２５が設けられ、該底板３０の４隅の下方には移動用部品としてキャスター３５が設けられ、該側板４１と該側板４２との外面には把手４５が設けられている。そのため、必要に応じて本可搬式店舗をクレーンで吊り下げて移動したり、単独で移動したりする事が可能な構成となっている。
【００２６】
また、該可搬式店舗本体１０の開口部のうちの２辺を構成する左右両脇の側板４１の端部４７と側板４２の端部４８には、蝶番４９を介して、左扉５１と右扉５２が設けられ、これらを合わせて、左右１組の扉部５０が形成されている。そして、これらの扉の垂直方向の長さは２つの側板の垂直方向の長さと同一に形成されており、これらの扉の水平方向の長さは、左右の扉の水平方向の長さを合わせた場合に該可搬式店舗本体１０を構成する天板２０と底板３０の長辺の長さとおよそ同一になるように構成されている。
【００２７】
本実施形態の場合は、左扉５１の水平方向の長さを２とすると右扉５２の水平方向の長さは３の比率で構成されているが、この比率は展示する商品や出店場所等により異なったものとすることが可能である。また、左扉５１と右扉５２は蝶番４９により、側板４１と側板４２のそれぞれの端部４７と端部４８に構成される垂直軸を支点として回動可能になっており、左右の扉を回動することによって、該可搬式店舗本体１０の正面に該当する六面体形状の一面を構成する開口部を閉じることができる構造になっている。左扉５１の開口端５３と右扉５２の開口端５４の中央部付近にはそれぞれ取手７１と取手７２が設けられ、左右の扉が閉じられた場合には、取手７１及び取手７２に設けられた構成要素により完成される鍵８０により、必要に応じて鍵をかけられる構造となっている。また、該開口端５３と該開口端５４の下部には、左右の扉を開いた場合にこれを本可搬式店舗の設置場所に仮固定する扉の仮固定部材５５が設けられている。
【００２８】
また、該可搬式店舗本体１０を構成する一面を開口部とする六面体形状の壁面の内側及び該扉部５０が該可搬式店舗本体１０の開口部を閉じた場合の左右の扉の内側の面には、商品陳列棚１００が設けられている。該商品陳列棚１００は、上下に移動が可能な可動棚及び上下に移動が不能な固定棚により構成され、固定棚には、本可搬式店舗内に商品が陳列された場合における、陳列された商品に貼付されたバーコードなどの商品情報識別標識に記録された商品情報を読取可能なバーコードリーダなどの商品情報識別標識読取装置１２０と、該商品情報識別標識読取装置１２０と表示装置１３０への入出力が可能であり公衆通信網に接続可能な情報処理端末１４０とが設けられており、天板２０からは本可搬式店舗本体１０内側に表示装置１３０が懸下されている。これにより、本可搬式店舗では、店舗内に陳列された商品情報識別標識を貼付した見本の商品に基づいて顧客が当該商品の購入を決定した場合には、当該商品に貼付した商品情報識別標識を商品情報識別標識読取装置１２０で読取って、その商品情報及び在庫情報を表示装置１３０で表示し、その情報を顧客が確認し購入を決定した場合には、情報処理端末１４０を用いて代金支払方法を選択し場合によっては決済を行うと共に、顧客の希望先への配送の手配をすることが可能である。
【００２９】
また、本実施形態では、右扉５２の外側の面には表示装置５００が設けられており、本可搬式店舗の扉部５０を閉じた場合には、本可搬式店舗本体１０の正面に来るように構成されている。このように構成することで、本可搬式店舗の扉部５０を閉じて鍵８０をかけた場合であっても該表示装置５００に映像を表示することが可能であり、本可搬式店舗を無人にした場合であっても宣伝映像等を表示することで顧客の誘引を図ることが可能である。なお、本可搬式店舗にスピーカ等の音響装置を設け映像と共に音声を出力しても良い。
【００３０】
また、該表示装置５００に１又は２以上の商品及び該商品の通信販売を行うインターネット上の通信販売を行うサイトのＷｅｂページのＵＲＬを２次元コード等のシンボルコードにより表示する事で、顧客の携帯端末を通じて該インターネット上の該通信販売サイトのＷｅｂページに接続し、当該顧客の当該携帯端末を通じて当該顧客の希望先へ当該商品の配送を手配する事も可能である。
【００３１】
したがって、本可搬式店舗に常時担当者を配置することができない場合であっても、必要な場合には本可搬式店舗を無人販売店として機能させることが可能である。
【００３２】
なお、表示装置５００には液晶ディスプレイやプラズマディスプレイなどを用いることができる他、タッチパネルを用いる事も可能である。そのため、タッチパネルを用いた場合には、顧客は当該タッチパネルの表示を通じてこれを操作し、顧客が希望する商品を希望の場所へ配送することを手配することが可能である。
【００３３】
また、該表示装置５００に表示される商品及び該商品の通信販売を行うインターネット上の通信販売を行うサイトのＷｅｂページを特定するための２次元コード等の内容は、商品の宣伝画像の内容や時間帯などに合わせて、いつでもその内容を変更することが可能である。したがって、宣伝映像に合わせて商品画像を提供し当該商品の通信販売を可能とすることや、時間帯による本可搬式店舗周辺での客層の変動に合わせて、購入可能な商品の表示を変動させることが可能である。
【００３４】
また、本実施例では、更に天板２０の本可搬式店舗本体１０内側には照明器具（図示しない）が設けられており、側板４１の下方には、該照明器具を含めた本可搬式店舗内における設備への電力供給のために外部電源用のコネクタ２００が設けられている。また、本可搬式店舗に備えられた情報処理端末１４０は、本可搬式店舗と外部との通信を無線で行うか有線で行うかを問わないが、有線で行う場合のために、同じく側板４１の下方に外部の通信設備と本可搬式店舗に設けられた情報処理端末１４０とを接続する外部通信用コネクタ２１０が設けられている。
【００３５】
以上のように本発明の可搬式店舗を一実施形態に基づいて説明したが、本発明は上記形態に限定されるものではなく、本発明の要旨を逸脱しない範囲で変形が可能である。
【００３６】
例えば図３は本可搬式店舗本体１０の天板２０上部に屋根部４００を設けたものである。該屋根部４００は、天板２０の各辺を底辺とする四角錐台状になっている。なお、ここで屋根部４００は天井部である天板２０の上部に設けられているが天井部自体を四角錐台状や円錐或いは曲面を含むその他の形態に変形して用いる事も勿論可能である。そして、該屋根部４００には上記一実施形態において可搬式店舗本体１０内部に配設した表示装置１３０に代えて該可搬式店舗本体１０の開口部の面した側に向けて２つの表示装置４１０が設けられている。このように表示装置４１０を設けたことにより、本可搬式店舗の扉を開いている場合には、本表示装置４１０を上記一実施形態において本可搬式店舗本体１０の内部に配設した表示装置１３０に代えて用いることができる。また、本可搬式店舗の扉部５０を閉じている場合には、右扉５２の外側の面に設けた表示装置５００と共に、集客用の宣伝映像を表示したり、表示装置５００により行われる無人販売のための表示を補足する表示をしたりすることが可能である。
【００３７】
本可搬式店舗を実際に設置する場合には、本可搬式店舗をクレーンなどによりトラック等に積み込み設置場所まで移動する。なお、移動は本可搬式店舗の扉部５０を閉じた状態で行われる。移動先が駅構内などのように、トラック等からクレーン等を用いて直接設置場所に設置できない場合には、底板３０の下部に設けられたキャスター３５と把手４５とを用いて人力で移動させるが、場合によってはフォークリフトなどの利用も可能である。
【００３８】
また、本可搬式店舗の壁面又は床部に連結手段を設けた場合には、本可搬式店舗を車両に連結したり、１又は２以上の他の可搬式店舗と連結したりすることにより移動させる事も可能である。
【００３９】
設置場所では、キャスター３５を固定すると共に左右の扉を必要な程度に開いて、扉の仮固定部材５５により扉を設置場所に仮固定する。また、外部電源用コネクタ２００に外部からの電力供給線を接続し、必要な場合には外部通信用コネクタ２１０に外部からの通信線を接続する。
【００４０】
以上に述べた本発明の可搬式店舗の一実施形態によれば、本来多数の在庫を備えることが必要な商品を扱うために広い敷地が必要とされる店舗を狭い場所に設けることが可能である。そのため、駅の構内やショッピングモールなどの人が集まるものの広い出店スペースを確保できない場所に容易に出店することが可能であり、撤退も容易である。
【００４１】
しかも、従来インターネット等の通信回線を介した商品の販売では不可能であった、商品を実際に手に取って確認して選択する、という行為が可能になるため、実在の店舗の特性を活かしつつ、インターネット等による通信回線を介した商品販売の利便性を活かす事が可能である。このように本発明によれば、インターネット等の通信回線を介した商品販売において、実在の店舗における対面販売を可能とすることで、従来インターネット等の通信回線を介した商品販売を利用することに抵抗のあった客層に対しても販売を促進することが可能である。
【００４２】
また、見本の商品を用意しておけば在庫を置くことが不要であり、出店が容易であるため、新製品の試験販売や、地方の自治体や小規模店主が自己の商品のアンテナショップを大都市域に展開したい場合に迅速に対応することが可能である。また、同様の理由により、短期間のイベントの開催に合わせて迅速に出店し、イベント終了後には迅速に撤収する事も可能である。
【００４３】
また、本可搬式店舗は狭隘な敷地に設置することが可能であるが、広い敷地に設置する事も当然可能であり、本可搬式店舗を同一の広い敷地に多数展開して、各店舗で扱う商品を異なるものとしたり、同一種類の商品であるが異なるブランドのものを揃えて一つの専門店街を構成したりする事も可能である。
【００４４】
次に本発明の可搬式店舗を用いた商品の販売方法について図面を参照して説明する。
図４は本発明の可搬式店舗を用いた商品の販売方法の一実施形態の概略を示したものである。図４における１０００はインターネット等の公衆通信回線、１１００は可搬式店舗、１２００は本部倉庫、１３００は宅配業者、１４００は顧客の自宅を示している。
【００４５】
本発明の可搬式店舗を用いた商品の販売方法の一実施形態の概略を説明すれば、顧客は可搬式店舗１１００の店頭で購入を決定した商品を指定すると、当該可搬式店舗１１００に備えられた情報処理端末によりインターネット等の公衆通信回線１０００を通じて本部倉庫１２００に備えられたサーバ１２１０に関連情報が送られ、その情報に基づいて当該本部倉庫１２００では当該商品の梱包と配送伝票の作成が行われ、当該梱包され配送伝票が付された商品は宅配業者１３００により集荷されて、顧客の自宅１４００に届けられる。
【００４６】
以下これをさらに詳細に説明する。
【００４７】
可搬式店舗１１００は、移動が容易な小型店舗であり、図４においては一つのみが示されているが、複数の店舗を設ける事も勿論可能である。当該可搬式店舗１１００には、バーコードやＩＣタグなどの商品を特定するための商品情報が記録された商品情報識別標識が貼付された商品が陳列され、少なくとも、商品を陳列するための棚と、商品に貼付された商品情報識別標識の情報を読取るためのバーコードリーダやＩＣタグの読取装置などの商品情報識別標識読取装置１１１０と、当該商品の情報の表示や顧客情報の入出力の際に使用される他に商品の宣伝映像なども表示することを目的としたＬＣＤやプラズマディスプレイなどの表示装置１１２０と、インターネット等の公衆通信回線１０００に接続され、本部倉庫１２００に備えられたサーバ１２１０との間で商品情報や顧客情報の交換を行ったり、表示装置１１２０の表示内容の制御等を行う他に、場合によっては電子決済を行うためのパソコン等の情報処理端末１１３０が備えられている。なお、上記の商品を特定するための商品情報は商品により異なるが、少なくとも商品を特定するための商品識別番号が含まれる。
【００４８】
また、本部倉庫１２００では可搬式店舗１１００で見本として供されている商品に対応する商品を在庫として備えており、可搬式店舗１１００からの発送要求に応えて、商品の梱包を行うと共に発送伝票を作成し、宅配業者１３００への配送依頼が行われる。本部倉庫１２００には、インターネット等の公衆通信回線１０００に接続されたサーバ１２１０が備えられており、当該サーバ１２１０には本部倉庫に在庫として備えている商品の商品識別番号や商品の色彩・商品のサイズ・価格の他にそれぞれの在庫の数量等が記録されている。また、商品の発送要求がされた場合には、必要に応じて当該商品の商品情報の一つとして販売実績などを記録する他に、顧客の住所・氏名・当該顧客の購入実績等の情報も当該サーバ１２１０に記録される。
【００４９】
本実施形態による商品の販売は次のように行われる。
【００５０】
商品を購入しようとする顧客は、可搬式店舗１１００に赴いて、実際の商品を手に取ったり見比べたりすることで、商品の選択を行う。
【００５１】
可搬式店舗１１００内に靴や衣料品などの、顧客が商品を選択するに当たり実際に顧客が試し履きをしたり試着したりすることが必要であり、在庫を確保するためのスペースの確保が難しい商品を陳列する場合には、実際の商品を見本として陳列しておき、試し履きや試着に供しておくことになる。
【００５２】
特に靴の場合は、商品点数が多くなるため、一足の靴のうち右足若しくは左足のどちらか片方のみを商品見本として陳列に供し、陳列スペースの節約を図る事も可能である。また、可搬式店舗１１００に陳列される商品の種類は問われないため、小物やアクセサリーなど可搬式店舗１１００に在庫として置いておけるものを販売に供していても勿論構わない。
【００５３】
顧客が購入する商品を選択した場合には、本可搬式店舗１１００内に設けられた情報処理端末１１３０が商品情報識別標識読取装置１１１０により当該商品に貼付された商品情報を読み出して取得し、これを記録すると同時に、当該商品の商品情報を表示装置１１２０により表示し、インターネット等の公衆通信回線１０００を通じて本部倉庫１２００のサーバ１２１０に対して当該商品情報を有する商品の在庫数量等の問い合わせの送信を行う。
【００５４】
本部倉庫１２００のサーバ１２１０はこの問い合わせの送信に含まれる情報に基づいて本部倉庫１２００内に在庫として記録されている当該商品の情報を読み出して、当該商品の在庫情報を同じくインターネット等の公衆通信回線１０００を通じて、当該問い合わせの送信を発した可搬式店舗１１００の情報処理端末１１３０に送信する。この時送信される情報は当該商品の在庫情報のみならず、当該商品の関連情報を含ませても良く、例えば商品が靴の場合であれば、問い合わせのあった靴の画像情報や、問い合わせのあった靴と同一のサイズであるが色が異なる商品の在庫情報などでも良い。
【００５５】
当該本部倉庫１２００のサーバ１２１０からの在庫情報等を受けた可搬式店舗１１００の情報処理端末１１３０は、顧客が選択した商品の商品情報と共に当該商品の在庫情報を表示装置１１２０に表示し、顧客は当該表示を見て当該商品の確認を行う。
【００５６】
図５は、商品が靴である場合に、表示装置１１２０に表示される商品情報の表示画面の一例である。本表示画面の一例では、顧客が選択した靴の画像が表示され、当該靴の商品識別番号、商品サイズ、商品の色彩、商品価格、在庫数が表示される他、情報処理端末１１３０の操作により画面上をクリックすることで選択が可能な、商品関連情報取得ボタン、決済・配送指示ボタン、前画面への復帰ボタンが表示されている。
【００５７】
表示装置１１２０に表示された商品情報を確認した顧客が当該商品の購入をする場合には、可搬式店舗１１００の情報処理端末１１３０は、配送先の住所及び顧客の氏名を取得し、当該配送先の住所及び顧客の氏名と共に商品識別番号等と配送指示を含んだ情報を本部倉庫１２００のサーバ１２１０にインターネット等の公衆通信回線１０００を通じて送信する。なお、本実施形態では、顧客による商品購入代金の支払いは宅配業者１３００からの商品の配達と引き換えに行う方式を採用している。そのため、本可搬式店舗１１００の情報処理端末１１３０による決済手続は行われないが、必要に応じてこれを行う構成を採用する事も可能である。
【００５８】
配送先の住所や配送指示等の送信を受けた本部倉庫１２００のサーバ１２１０は配送指示のあった当該商品の商品識別番号と配送先の住所及び顧客の氏名を同サーバに記録し、受領確認を可搬式店舗１１００の情報処理端末１１３０に送信すると共に、当該商品の商品識別番号と当該配送先を記載した発送伝票を出力する。そして、本部倉庫１２００では当該発送伝票に基づいて商品の梱包を行い宅配業者からの集荷を受け当該梱包された商品は、顧客の自宅１４００に届けられる。
【００５９】
なお、本部倉庫１２００のサーバ１２１０では、商品が出荷された場合、及び顧客の自宅に商品が届けられ購入代金を受領した場合等、適宜、サーバ１２１０内に蓄積された商品在庫情報や顧客情報の情報内容の更新が行われる。
【００６０】
図６は、本発明の可搬式店舗１１００を用いた商品の販売方法の一実施形態における、可搬式店舗１１００内に設けられた商品情報識別標識読取装置１１１０、情報処理端末１１３０、表示装置１１２０、及び本部倉庫１２００に備えられたサーバ１２１０の動作の流れを示したものである。ここで、Ａ〜Ｈの記号はそれぞれのステップを示す。
【００６１】
以下図６を用いて本発明の商品販売方法の流れを説明する。
【００６２】
顧客が商品の購入を希望すると、図６のＡのステップに示すように商品情報識別標識読取装置１１１０により当該商品に貼付された商品情報識別標識から商品情報が読み出される。当該読み出された商品情報は情報処理端末１１３０に記録されると共に、ステップＢにおいて、当該情報処理端末１１３０により当該商品情報が表示装置１１２０に表示される。この時表示される情報は、当該読み出された商品情報の他に情報処理端末１１３０内部に記録されている当該商品の関連情報を含ませる事も可能である。
【００６３】
情報処理端末１１３０ではＢのステップに続きＣのステップにおいて、当該読み出された商品情報に合致する商品の存否と数量を含む在庫情報の問合せの情報を本部倉庫１２００のサーバ１２１０に対して送信する。
【００６４】
当該送信を受けた本部倉庫１２００に備えられたサーバ１２１０は、Ｄのステップにおいて、問合せの商品情報に合致する商品の在庫情報を確認し、その情報を可搬式店舗１１００の情報処理端末１１３０に送信する。なお、この際送信される情報は当該商品の在庫情報の他に、可搬式店舗１１００に備えられた情報端末１１３０に記録されている当該商品の情報を補足する情報を含ませても良いし、直ちに配送指示を受けた場合には何時の時点までに顧客自宅１４００までの配送が可能であるかの情報を含ませる事も可能である。
【００６５】
本部倉庫１２００に備えられたサーバ１２１０からの在庫情報を受けた可搬式店舗１１００の情報処理端末１１３０では、Ｅのステップにおいて当該在庫情報を記録すると共に、当該在庫情報を表示装置１１２０により表示する。この表示は、既に表示している商品情報の表示に補充する表現でも良いし、全く新しい内容を表示しても良く、在庫情報と共に当該商品に関する補足情報が含まれている場合にはこれを表示する選択も可能である。
【００６６】
Ｅのステップにおいて表示された情報に基づき、顧客が当該商品の購入を決定する場合には、可搬式店舗１１００の情報処理端末１１３０は、ステップＦにおいて顧客の氏名及び住所等の取得を行い、当該顧客の氏名及び住所等の情報を含む配送情報と配送指示の情報を本部倉庫１２００のサーバ１２１０に送信する。
【００６７】
そしてステップＧでは、本部倉庫１２００のサーバ１２１０は当該配送情報と配送指示の情報を受けると、これを記録し配送伝票等を印刷する等と共に、当該配送情報と配送指示の情報の受領を確認する情報を可搬式店舗１１００の情報処理端末１１３０に送信する。なお、当該確認情報には顧客自宅１４００への配達予想時刻等の情報を含ませる事も可能である
こうして送信された確認情報は、可搬式店舗１１００の情報処理端末１１３０で受信され、当該情報は当該情報処理端末１１３０に記録されると同時に、Ｈのステップにおいて、表示装置１１２０に表示される。この際表示される情報には、本部倉庫１２００のサーバ１２１０から送られた、顧客自宅１４００への配達予想時刻等を含ませる事も可能である。また、可搬式店舗１１００に備えられた情報処理端末１１３０に印刷装置を接続している場合には、上記表示の内容を印刷し、必要な場合には顧客に提供する構成にする事も可能である。
【００６８】
以上のように、商品情報識別標識読取装置１１１０、情報処理端末１１３０、表示装置１１２０、及び本部倉庫に備えられたサーバ１２１０がそれぞれの動作を完了すると、それぞれ待機状態に戻るが、情報処理端末１１３０及び表示装置１１２０は待機状態において、顧客を誘引するための宣伝映像等を表示できる構成とする事も可能である。
【００６９】
以上本発明の可搬式店舗を用いた商品の販売方法の一実施形態について説明したが、本発明は上記形態に限定されるものではなく本発明の要旨を逸脱しない範囲で変形が可能である。
【００７０】
例えば本発明の請求項２に記載したように可搬式店舗の扉の外側の面に表示装置を設けている場合には、当該表示装置を用いて１又は２以上の商品の通信販売を行うことも可能である。
【００７１】
即ち、この場合には、当該表示装置に商品の画像及び当該商品の通信販売を行うインターネット上のサイトのＷｅｂページのＵＲＬとを２次元コードなどのシンボルコードにより表示しておく。そして、当該表示された商品の画像を見た顧客が当該商品の購入を希望する場合には、当該顧客の携帯通信端末が当該表示された通信販売を行うサイトの該ＵＲＬを読取り、読取った情報に基づいて当該携帯通信端末により当該インターネット上の通信販売サイトの当該Ｗｅｂページに接続し、当該携帯端末を通じて当該Ｗｅｂページに設けられた表示画面に基づき当該商品の注文及び決済を行うことにより、顧客の希望先へ希望する商品の配送を手配することが可能となる。
【００７２】
このような方法を採用する事により、本発明による商品の販売方法では、必要な場合には本可搬式店舗を無人販売店として機能させることも可能であり、本可搬式店舗における商品販売のための稼働率を向上させ、本可搬式店舗の更に効率的な運用を図る事が可能である。
【００７３】
また、本可搬式店舗を用いた商品の販売方法によれば、多数の店舗を多地域に出店しても在庫を本部倉庫という特定の一箇所で管理することが可能である。そのため、一つの業種の営業主体が多くの地域に同一種類の商品群を扱う可搬式店舗を展開することも可能であるし、本部倉庫に多種類の商品群を取り揃えて、その地域ごとの需要にあった商品ラインを備えた本可搬式店舗を展開する事も可能である。
【符号の説明】
【００７４】
１０    可搬式店舗本体
２０    天板
２１    天板２０の短辺
２２    天板２０の短辺
２３    天板２０の長辺
２５    アイボルト
３０    底板
３１    底板３０の短辺
３２    底板３０の短辺
３３    底板３０の長辺
３５    キャスター
４１    側板
４２    側板
４３    背板  
４５    把手
４７    側板４１の端部
４８    側板４２の端部
４９    蝶番
５０    扉部
５１    左扉
５２    右扉
５３    左扉の開口端
５４    右扉の開口端
５５    仮固定部材
７１    取手
７２    取手
８０    鍵
１００  商品陳列棚
１２０  商品情報識別標識読取装置
１３０  表示装置
１４０  情報処理端末
２００  外部電源用コネクタ
２１０  外部通信用コネクタ
４００  屋根部
４１０  表示装置
５００  表示装置
１０００  公衆通信回線
１１００  可搬式店舗
１１１０  商品情報識別標識読取装置
１１２０  表示装置
１１３０  情報処理端末
１２００  本部倉庫
１２１０  サーバ
１３００  宅配業者
１４００  顧客自宅
【図４】
2013196277.tif 000003
【図５】
2013196277.tif 000004
【図６】
2013196277.tif 000005
【図１】
2013196277.tif 000006
【図２】
2013196277.tif 000007
【図３】
2013196277.tif 000008